Podtech/llm-jp-corpus-v4-ja_patent huggingface dataset:
(57)【要約】【課題】  気液の分離効率が良い気液分離器を提供する。【解決手段】  排気管１０の外側円筒と内側円筒の間で形成する環状空間１１に旋回羽根１２を配置する。環状空間１１の上方を入口４に連結し、排気管１０の内側円筒の内側を通してその上方を水平方向に伸びる出口５に連結する。環状空間１１の下方に旋回室１４を形成し、旋回室１４の下方に液溜室１５を形成し、液溜室１５の下端を排液口８に連結する。出口５下端にバイパス管２０の一端を溶接し、本体１の下部にバイパス管２０の他端を溶接して、出口５の下端と液溜室１５をバイパス通路２１で連通する。【選択図】      図１
2005118651.tif 000002
【特許請求の範囲】
【請求項１】
ケーシングと排気管で形成する環状空間に旋回羽根を配置し、環状空間の上方を入口に連結し、排気管の内側の孔を通してその上方を出口に連結し、環状空間の下方に旋回室と該旋回室の下方に液溜室を形成して該液溜室の下部を排液口に連結したものにおいて、出口の下部と液溜室を連通するバイパス通路を形成したことを特徴とする気液分離器。
【発明の詳細な説明】
【技術分野】
【０００１】
本発明は、蒸気や圧縮空気や各種ガス等の気体中に混入している復水や凝縮水等の液体をケーシング内に旋回流を起こして遠心力によって分離する気液分離器に関する。
【背景技術】
【０００２】
従来の気液分離器は、ケーシングと排気管で形成する環状空間に旋回羽根を配置し、環状空間の上方を入口に連結し、排気管の内側の孔を通してその上方を出口に連結し、環状空間の下方に旋回室と該旋回室の下方に液溜室を形成して該液溜室の下部を排液口に連結したものである。
【０００３】
上記従来の気液分離器は、入口から環状空間に入った気体と液体の混合流体を旋回羽根で旋回せしめて遠心力の作用で液体を外側に振り出し、液体をケーシングの内周壁に沿って流下させて排液口から排出し、液体の分離された気体を排気管の下端から内側の孔を通して出口に流出させるものであるが、入口に流入してくる液体量が多い場合には一部の液体が外側に振り出されず、気体流と共に出口に運び出されてしまうために、気液の分離効率が悪い問題点があった。
【特許文献１】特開２００２−２８４２２号公報
【発明の開示】
【発明が解決しようとする課題】
【０００４】
解決しようとする課題は、気液の分離効率が良い気液分離器を提供することである。
【課題を解決するための手段】
【０００５】
本発明は、ケーシングと排気管で形成する環状空間に旋回羽根を配置し、環状空間の上方を入口に連結し、排気管の内側の孔を通してその上方を出口に連結し、環状空間の下方に旋回室と該旋回室の下方に液溜室を形成して該液溜室の下部を排液口に連結した気液分離器において、出口の下部と液溜室を連通するバイパス通路を形成したことを特徴とする。
【発明の効果】
【０００６】
本発明は、気体流と共に出口に向かい出口の下部を流れる液体がバイパス通路を通して液溜室に流下することができるので、気液の分離効率を高めることができるという優れた効果を生じる。
【発明を実施するための最良の形態】
【０００７】
本発明の気液分離器は、出口の下部と液溜室を連通するバイパス通路を形成したものであるので、気体流と共に出口に向かい出口の下部を流れる液体がバイパス通路を通して液溜室に流下することができる。
【実施例１】
【０００８】
上記の技術的手段の具体例を示す実施例を説明する（図１乃至図２参照）。ケーシングは本体１に出入口部材２と底蓋３を夫々溶接して形成する。出入口部材２は左右に入口４と出口５を有し、底蓋３は下端中央に排液口８を有する。本体１は円筒形状で上部内面の直径を大きく形成する。本体１の上部内面と下部内面との間の環状の段部に、二重のほぼ円筒形状の排気管１０を載せ、排気管１０を出入口部材２との間で固定する。排気管１０の外側円筒は真直ぐな形状で内側円筒よりも低く形成する。外側円筒は省略して本体１で兼用することもできる。排気管１０の内側円筒は上端部が上方に向かって緩やかに拡がり、下端部が下方に向かって緩やかに拡がった形状である。
【０００９】
排気管１０の内外円筒の間に形成される環状空間１１に、排気管１０と一体に旋回羽根１２を形成する。入口４は下方の環状空間１１に連結し、排気管１０の内側円筒の内側は上方の水平方向に伸びる出口５に連結する。本体１の内面と底蓋３の内面との間に旋回室１４と、旋回室１４の下方に液溜室１５を形成し、液溜室１５の下端を排液口８に連結する。旋回室１４と液溜室１５とを隔てる隔壁部材１７を配置する。隔壁部材１７は円板形状で外周に４個の突起１８を有し、突起１８の外端を本体１に溶接して固定する。突起１８の間の隔壁部材１７外周縁と本体１内周壁との間に液体通過用隙間１９を形成する。出口５の下端にバイパス管２０の一端を溶接し、本体１の下部にバイパス管２０の他端を溶接して、出口５の下端と液溜室１５をバイパス通路２１で連通する。
【００１０】
入口４から環状空間１１に入った気体と液体の混合流体は旋回羽根１２で旋回せしめられ、液体が遠心力の作用で外側に振り出されて本体１の内周壁に沿って流下し、突起１８の間の液体通過用隙間１９を通って液溜室１５に流下し、排液口８から系外に排出される。分離されなかった一部の液体と気体は排気管１０の内側円筒の下端から内側の孔を通って出口５へ向かう。出口５の下部を流れる液体がバイパス通路２１を通して液溜室１５に流下し、排液口８から系外に排出される。
【図面の簡単な説明】
【００１１】
【図１】本発明の気液分離器の断面図。
【図２】図１のＡ−Ａ断面図。
【符号の説明】
【００１２】
１  本体
２  出入口部材
３  底蓋
４  入口
５  出口
８  排液口
１０  排気管
１１  環状空間
１２  旋回羽根
１４  旋回室
１５  液溜室
１７  隔壁部材
１８  突起
１９  液体通過用隙間
２０  バイパス管
２１  バイパス通路
【図１】
2005118651.tif 000003
【図２】
2005118651.tif 000004
(57)【要約】【課題】  脇の脱毛処理作業について、楽な姿勢で効率的に作業ができるような器具を提供する。【解決手段】  可動式のジョイント２に鏡１とクリップ式の腕輪３を取付けた構造とし、クリップ式の腕輪３を腕に取り付けた状態で鏡１の角度を自由に調節することにより、場所を選ばずに楽な姿勢での脇の脱毛処理作業が可能となる。【選択図】  図１
2005118521.tif 000002
【特許請求の範囲】
【請求項１】
クリップ式の腕輪３に廻動自在の廻動自在の可動式ジョイント２を介して鏡１を設けたことを特徴とする脇毛処理鏡
【発明の詳細な説明】
【技術分野】
【０００１】  本発明は、可動式のジョイントに鏡とクリップ式の腕輪を取り付くようにして、腕輪を腕に固定した状態で鏡の角度を自由に調節することにより、脇の下がよく見えるようにしたものである。また、携帯性に優れ、場所を選ばずに自由な姿勢で脇の脱毛処理作業ができるようにしたものである。
【技術背景】
【０００２】  従来の脇の脱毛処理の方法は、鏡台又は置き鏡若しくは手鏡を見ながらの作業方法が一般的であったが、脱毛処理の場所が限定される外、両手がふさがる不便さがあった。
【発明の開示】
【発明が解決しようとする課題】
【０００３】  解決しようとする課題は、脇の下が人の死角の位置にあることに加え、鏡台までの距離が遠くて毛穴が見づらい、置き鏡の設置場所が限定され目線の高さと合わない、手鏡の場合は両手が開かない、前のめりになる姿勢が長時間続いて疲れる、作業の場所が限定されるなどの課題がある。
【課題を解決する為の手段】
【０００４】  クリップ式の腕輪３に廻動自在の廻動自在の可動式ジョイント２を介して鏡１を設けたことを特徴とする脇毛処理鏡
【発明の効果】
【０００５】  本発明の脇毛処理鏡は、作業場所を選ばずに楽な姿勢での効率的な脇の脱毛処理作業を可能とした。
【発明を実施するための最良の形態】
【０００６】  本発明は、腕４の下に鏡１を取り付けて両手が使えるようにする外、至近距離にある鏡１の角度を自由に調節することにより、死角を解消し、かつ毛穴を見やすいものとした。また、携帯性を備え、場所を選ばずに楽な姿勢での脇の脱毛処理作業を可能とした。
【図面の簡単な説明】
【０００７】
【図１】  可動式のジョイントに鏡とクリップ式の腕輪を取り付けた斜視図である。
【符号の説明】
【０００８】  １  鏡
２  可動式ジョイント
３  クリップ式の腕輪
４  腕
【図１】
2005118521.tif 000003
(57)【要約】【課題】  病人等の被介護者が食事をするときに、寝たままの姿勢又は半坐の姿勢でも容易に固形物や半固形物を食べ汁を飲むことができるスプーンやフォークを提供すること。【解決手段】  柄を持たないスプーンの首部に瀘過部を設けた瀘過パイプを差込み、該瀘過パイプに蛇腹部を２ヶ所設けた蛇腹付ストローパイプを差込む。【選択図】  図１
2005118522.tif 000002
【特許請求の範囲】
【請求項１】
柄を持たないスプーンの首部に、瀘過機構を設けた瀘過パイプを差込み、該瀘過パイプに、蛇腹部を２ヶ所設けた蛇腹付ストローパイプを差込んだ、飲食用スプーン。
【請求項２】
柄を持たないフォークの首部に、瀘過機構を設けた瀘過パイプを差込み、該瀘過パイプに、蛇腹部を２ヶ所設けた蛇腹付ストローパイプを差込んだ、飲食用フォーク。
【発明の詳細な説明】
【技術分野】
【０００１】  本発明は、病人等の被介護者が食事をするときに、寝たままの姿勢あるいは半坐の姿勢でも、容易に飲食をすることができる飲食用具に関するものである。
【背景技術】
【０００２】  従来、病人等の被介護者が食事をするときに、自分で食事をとることはできるが、寝た状態又は半坐の姿勢でなければ食事をとることができない場合、スプーンやフォークを使って食器の中の固形物あるいは半固形物をとることはできるが、汁を飲むときにはスプーンではなかなかうまくできない。そこで、ストローまたは蛇腹付ストローで飲むが、汁の中の固形物あるいは半固形物も一緒に吸い込んでむせたり、あるいはストローが詰まってしまう場合がある。【０００３】  スプーン又はフォークとストローを別々に使うよりは、これを組合せて一体のものとして使うほうが便利である。これに関する文献としては下記のものが見出せる。
【特許文献１】  特開平７−２３８４３
【発明の開示】
【発明が解決しようとする課題】
【０００４】  特開平７−２３８４３においては、スプーン又はフォークと一体となった柄の部分に穴を明けてパイプ状としている。身をスプーン又はフォークですくって食べ、汁を柄の部分のパイプで吸って飲むという発想は優れたものと言える。しかし、特開平７−２３８４３においては、主としてインスタント食品を食べるための深型の容器を想定しているため、柄の部分は直立で柔軟性がないため、被介護者用には向かない。瀘過機構がないため身を一緒に吸い込む恐れもある。
本発明においては、スプーン又はフォークとストローとを一体化して被介護者が飲食しやすいように柄に柔軟性を持たせ、瀘過機構を設けて容易に固形物を食べたり汁を飲んだりすることができる飲食用具を提供しようとするものである。
【課題を解決するための手段】
【０００５】（イ）スプーン（２）の首部（２ａ）に瀘過パイプ（３）を差込み、瀘過パイプ（３）に蛇腹付ストローパイプ（４）を差込む。
（ロ）フォーク（５）の首部（５ａ）に瀘過パイプ（３）を差込み、瀘過パイプ（３）に蛇腹付ストローパイプ（４）を差込む。
【発明の効果】
【０００６】  寝たままあるいは半坐の姿勢でしか食事をとることができない被介護者が食事をするときに、本発明を用いることにより、これ１本で固形物や半固形物を食することができ汁もこぼさずに容易に飲むことができる。
【発明を実施するための最良の形態】
【０００７】  以下、本発明の実施の形態を説明する。
（イ）スプーン（２）の首部（２ａ）に、瀘過部（３ａ）を設けた瀘過パイプ（３）を差込む。瀘過パイプ（３）は、スプーン（２）の首部（２ａ）の外側から被せる形できっちり差込める寸法とする。
瀘過パイプ（３）に蛇腹付ストローパイプ（４）を差込む。蛇腹付ストローパイプ（４）は、瀘過パイプ（３）の外側から被せる形できっちり差込める寸法とする。（図１）
（ロ）フォーク（５）の首部（５ａ）に、瀘過部（３ａ）を設けた瀘過パイプ（３）を差込む。瀘過パイプ（３）は、フォーク（５）の首部（５ａ）の外側から被せる形できっちり差込める寸法とする。
瀘過パイプ（３）に蛇腹付ストローパイプ（４）を差込む。蛇腹付ストローパイプ（４）は、瀘過パイプ（３）の外側から被せる形できっちり差込める寸法とする。（図２）【０００８】  スプーン（２）の首部（２ａ）及びフォーク（５）の首部（５ａ）は、断面形状が半円形の立ち上がりとする。
瀘過パイプ（３）の瀘過部（３ａ）は、片側をふさいでフタのようにし、そこに６本位の切り込みを入れる。これにより汁だけ通し、身等の固形物は通さない機構とすることができる。
蛇腹付ストローパイプ（４）には、左側の蛇腹Ａ（４ａ）と右側の蛇腹Ｂ（４ｂ）とを設ける。蛇腹Ａ（４ａ）はやや短かめとし、蛇腹Ｂ（４ｂ）はやや長めとする。蛇腹Ａ（４ａ）側が瀘過パイプ（３）に差込まれる側である。【０００９】  スプーン又はフォークの他にスプーンとフォークの両機能を兼ね備えた先割れスプーンもあるが、構造は先割れスプーンという以外は（イ）又は（ロ）と同様である。
【実施例】
【００１０】  図３に示すようにスプーン（２）の首部（２ａ）又はフォーク（５）の首部（５ａ）を断面形状が半円形ではなく、パイプ状の円形としたものも考えられる。この場合には、蛇腹付ストローパイプ（４）の端末に瀘過部（４ｃ）を設けることによって瀘過パイプを省略することが可能である。スプーン（６）の首部（６ａ）の中に直接蛇腹付ストローパイプ（４）を差込む。首部（６ａ）の穴は、蛇腹付ストローパイプ（４）がきっちり差込める寸法とする。【００１１】  本発明を使用するとき、固形物や半固形物を食べるときは蛇腹付ストローパイプ（４）を真直ぐにして使用するが、汁を飲む時は図４に示すように蛇腹Ａ（４ａ）を上に曲げ、蛇腹Ｂ（４ｂ）を下に曲げることによって、寝たままの姿勢でも容易に汁だけを飲むことができる。
【図面の簡単な説明】
【００１２】
【図１】本発明のスプーンの分解斜視図
【図２】本発明のフォークの分解斜視図
【図３】本発明の実施例を示す分解斜視図
【図４】本発明で汁を飲むときの使用例を示す図
【符号の説明】
【００１３】１    本発明のスプーン又はフォーク
２    スプーン
２ａ  首部
３    瀘過パイプ
３ａ  瀘過部
４    蛇腹付ストローパイプ
４ａ  蛇腹Ａ
４ｂ  蛇腹Ｂ
４ｃ  瀘過部
５    フォーク
５ａ  首部
６    スプーン
６ａ  首部
【図１】
2005118522.tif 000003
【図２】
2005118522.tif 000004
【図３】
2005118522.tif 000005
【図４】
2005118522.tif 000006
(57)【要約】【課題】夏でも快適に寝ることができる、敷布団を提供する。【解決手段】円形マット（１）の内部を２つ以上の網目袋で区分けする。その網目袋の上段にソバ殻又は変形チップを、下段にまゆ形等を詰める。このようにしてできた円形マットを並行にならべ、円柱で連結して構成される夏用の敷布団。【選択図】  図１
2005118501.tif 000002
【特許請求の範囲】
【請求項１】
円形マット（１）の内部を、２つ以上の網目袋で分けて２段階以上とし、上段にはそば殻または変形チップ、下段にはまゆ等の形をした物を密封充填して成る夏用の敷き布団。
【請求項２】
円形マット（１）を所定間隔置きに平行に並べ、その間を円柱で連続的につなげて成る請求項１の夏用の敷き布団
【発明の詳細な説明】
【発明の詳細な説明】
【技術分野】
【０００１】本発明は、夏用の敷布団に関するものである。
【背景技術】
【０００２】  従来の布団は、夏のかけ布団はあるが、夏の敷布団はあまりなかった。したがって、年中同じ敷布団で休眠している人が多かった。この為、背中の布団に触れているところが熱を保ち、暑くて眠れなかった。最近になってヘチマを主としたものが出現しているが、空気の通り道がない為に熱を逃がさない。また、すだれ状のものを布団の上に敷くものもでてきたが、背中に違和感を感じるものであった。
【発明が解決しようとする課題】
【０００３】これらには、次のような欠点があった。
年中同じ布団では暑苦しくて休眠ができない。ヘチマの敷布団でもクーラーや扇風機を活用しても、表面だけしか風が当たらず、その力は半減してしまう。ヘチマの敷布団の形は波形になっているが、その上に乗ると体の重みでほとんど平になってしまうので、波形の効果が少なくなってしまう。すだれ状のものの場合は、その材質が固く背中に違和感を覚える。そして、その連結部が紐等の為、その間隔を一定に保事ができない。本発明は、以上の欠点を無くすためになされたものである。
【課題を解決するための手段】
【０００４】  円形マット（１）の内部を少なくとも２段階以上に区分けする。そして、その中に内容物を詰める。そうしてできた円形マットを、円柱で連結してなる夏用の敷布団である。
【発明を実施するための最良の形態】
【０００５】  以下、本発明の実施の形態について説明する。
円形マット（１）の内部を２つ以上の網目袋で区分けする。２つの網目袋で区分けした場合、上段をソバ殻又は変形チップを２分の１、まゆ形等を２分の１詰める。３つの網目袋で区分けした場合は、上段あるいは中断をソバ殻かチップで各４分の１づつ、下段をまゆ形等で４分の２詰める。本発明の詰め物は、ソバ殻、プラスチック、木片、軽石等を主にするが、これらに限定されるものではなく、好みによって適宜の材質を用いることができる。
このようにしてできた円形マットを並行にならべ、円柱で連結する。
【発明の効果】
【０００６】本発明は、以上のような構造で、これを従来の敷布団のかわりに敷いて寝ればよい。そうすれば、円形マットの中が２段階以上に区切られているので、その２段階以上の刺激の方法でひんやり感やつぼ押しの効果を得ることができる。特に、ソバ殻にはひんやり感があり、夏に使用すると大変に快適である。また、本敷布団は円形マットの集合体で構成しているので、体にやさしい。更に、円形マットを円柱で連結しているので、本発明の敷布団は、風道を構成することができる。したがって、敷布団の表裏面からエアコン、扇風機、風等の冷気が自由に通過できる。この風道によって、数十倍の涼しさや心地良さを与えてくれ、安眠することができる。
【図面の簡単な説明】
【図１】  本発明の敷布団の全体図である。
【図２】  本発明のマット単体の内部図である。
【図３】  本発明の円柱でマットを連結した側面図である。
【符号の説明】
１  マット
２  風の通る道
３  継ぎ目の円柱
４  ソバ殻
５  変形チップ
６  まゆの形等
【図１】
2005118501.tif 000003
【図２】
2005118501.tif 000004
【図３】
2005118501.tif 000005
(57)【要約】【課題】  スライド式キーボード台を引き出した時に、キーボード台上部に現れるデッドスペースを活用するもので、補助テーブル使用時には天板との段差を無くし、机のスペースを最大限拡張させる。【解決手段】  パソコン使用時にキーボード台を引き出し、次に天板下部に備えてある補助テーブルを引き出しせり上げセットしたことで天板との段差や隙間を無くす。【選択図】  図５
2005118508.tif 000002
【特許請求の範囲】
【請求項１】
補助テーブル１５を誘導するスライド溝４、５を形成したガイド部材２、３をパソコンデスクの天板１の下部、又は支持板１０、１４などの上面両端に、半透明の色付き、又は透明のガラスやプラスチック、アクリル版等で構成された補助テーブル１５の突起部６、７、８、９を挟んで設置し、補助テーブル１５の天板結合部分は天板１と同じ丸み、又は形にし、結合したときの隙間や段差を無くし、使用時には補助テーブル１５の面全面を天板１より手前にスライド、せり上がらせスライド溝４、５上部に押し入れることで使用可能となる補助テーブル。
【請求項２】
支持板１０、１４の上面両端に直接スライド溝４、５を設け、半透明の色付き、又は透明のガラスやプラスチック、アクリル版等で構成された補助テーブル１５の突起部６、７、８、９を挟んで設置し、補助テーブル１５の天板結合部分は天板１と同じ丸み、又は形にし、結合したときの隙間や段差を無くし、使用時には補助テーブル１５の面全面を天板１より手前にスライド、せり上がらせスライド溝４、５上部に押し入れることで使用可能となる補助テーブル。
【請求項３】
補助テーブル１５に係止凸部１８、２１を設け、係入穴１７、２２を備えたテーブル補強具１６、２０を取付け、使用時にはテーブル補強具１６、２０を回転させ、キーボード台１１に掛けた請求項１、２記載の補助テーブル。
【発明の詳細な説明】
【技術分野】
【０００１】  本発明は、パソコンデスクによるスライド式キーボード台上部に引き出し可能な補助テーブルを備え、使用時には引き出し式ながら天板との段差を無くし、机の作業スペースを拡張するパソコンデスクを提供する。
【背景技術】
【０００２】  従来の技術は、スライド式キーボード台が隠れる大きさの透明テーブルを備えた机等がある。【０００３】  しかし、キーボードが隠れる大きさの透明テーブルでありながらテーブルが収納できず、使用時以外は邪魔になった。
【発明の開示】
【発明が解決しようとする課題】
【０００４】  解決しようとする問題点は、パソコンデスクによるスライド式キーボード台を引き出した時に、キーボード上部に現れるデッドスペースを活用するもので、天板下部に収納した補助テーブルを使用時には引き出し、せり上げて天板との段差や隙間を無くし、机のスペースを最大限拡張させる。
【課題を解決するための手段】
【０００５】  本発明においては、補助テーブルを誘導するスライド溝を形成したガイド部材を、パソコンデスク天板下部、又は支持板などの両端に、半透明の色付き、又は透明のガラスやプラスチック、アクリル版等で構成された補助テーブルの突起部に挟んで設置し、補助テーブルとの間に操作可能な空間を開けたキーボード台を備え、使用時にはキーボード台を引き出し、次に補助テーブル面全面を天板より手前に引きだしせり上げ、スライド溝上部に押し入れる事で使用可能となる。【０００６】  また、天板手前が変形や丸みをおびてる場合には、補助テーブルの天板結合部分も同じ丸み、又は形にし、結合したときの隙間や段差を無くす。【０００７】  また、補強バーや、補助テーブルの下部に収納可能なテーブル補強具を備え、使用時にはキーボード台両端に掛ける事で補助テーブルの破損を防ぐ。
【発明の効果】
【０００８】  上記のように補助テーブルを使用する事により、スライド式キーボード台上部に現れるデッドスペースを活用し、天板との段差や隙間を無くすので机のスペースを最大限利用可能にし、使用後は簡単に収納できる。又、飲物などをこぼしてもキーボードにはかからない利点を持つ。
【発明を実施するための最良の形態】
【０００９】  パソコン使用時にキーボード台を引き出し、次に天板下部に備えてある補助テーブルを引き出しせり上げセットし、場合により補助テーブルに備えたテーブル補強具で固定する。
【実施例１】
【００１０】  実施例について図面を参照して説明すると、図１〜図５において、スライド溝４、５を形成したガイド部材２、３をパソコンデスクの天板１の下部、又は支持板１０、１４などの両端に、補助テーブル１５の突起部６、７、８、９を挟んで設置し、使用時にはキーボード台１１を引き出し、補助テーブル１５の面全面を天板１より手前にスライド、せり上がらせスライド溝４、５上部に押し入れることで使用可能となり、天板１と補助テーブル１５の結合部分の段差や隙間を無くす。
【実施例２】
【００１１】  図６、７において補助テーブル１５に係止凸部１８、２１を設け、係入穴１７、２２を備えたテーブル補強具１６、２０を可動するよう取付け、使用時にはテーブル補強具１６、２０を回転させ、キーボード台１１に掛け固定し、又、補強バー１９を取付け補助テーブル１５の破損を防ぐ。
【図面の簡単な説明】
【００１２】
【図１】  ガイド部材斜視図である。
【図２】  補助テーブル斜視図である。
【図３】  斜視図による図１、２に示す取付け例である。
【図４】  実施例による補助テーブル収納時の斜視図である。
【図５】  実施例による補助テーブル使用状態を示す斜視図である。
【図６】  補助テーブルに補強材を付ける状態を示す斜視図である。
【図７】  実施例による補強具を使用した状態をを示す斜視図である。
【符号の説明】
【００１３】  １  天板
２、３  ガイド部材
４、５  スライド溝
６、７、８、９  突起部
１０、１４  支持板
１１  キーボード台
１２、２４  脚
１３  踏み板
１５  補助テーブル
１６、２０  テーブル補強具
１７、２２  係入穴
１８、２１  係止凸部
１９  補強バー
２３  キーボード
【図１】
2005118508.tif 000003
【図２】
2005118508.tif 000004
【図３】
2005118508.tif 000005
【図４】
2005118508.tif 000006
【図５】
2005118508.tif 000007
【図６】
2005118508.tif 000008
【図７】
2005118508.tif 000009
(57)【要約】【課題】  システムキッチンに新たな収納装置を設け、煩雑に取り扱われ勝ちな調味料などの小物を、その使用性を妨げることなく、体裁よく、収納できるようにする。【解決手段】  吊り戸棚の底部に、上下に開閉する収納棚を配置したことを特徴とするキッチン用の収納装置。【選択図】  図１
2005118507.tif 000002
【特許請求の範囲】
【請求項１】
吊り戸棚の底部に、上下に開閉する収納棚を配置したことを特徴とするキッチン用の収納装置。
【請求項２】
前記収容棚が、横方向に連続する連続収容部を形成することを特徴とするキッチン用の収納装置。
【発明の詳細な説明】
【技術分野】
【０００１】  本発明は、壁体に設ける吊り戸棚からなるキッチン用の収納装置に関するものである。
【背景技術】
【０００２】  従来吊り戸棚は、収容部を有する戸棚本体に左右に開く扉を設け、その扉を開閉してものを出し入れしていた。
【発明の開示】
【発明が解決しようとする課題】
【０００３】  そのために、高い位置に取り付けられている吊り戸棚は、非常に中のものが見えにくく、すぐに取り出したいものを入れておくには、不便なものであった。
本発明は以上の問題点を解決しようとするものである。
【課題を解決するための手段】
【０００４】  吊り戸棚の底部に、上下に開閉する収容棚を配置したことを特徴とするキッチン用の収納装置である。
【発明の効果】
【０００５】  本発明により、調理作業などのキッチン作業の際、頻繁な物品の出し入れを便宜に行いうる等、使い勝手を大幅に向上しうる。
【発明を実施するための最良の形態】
【０００６】  以下、本発明の実施の形態について説明する。
（イ）吊り戸棚本体（１）の下部先端の両角に吊り戸棚本体の支点（２）と下部の両側にスライドストッパー（５）を設ける。
（ロ）収容棚（３）の下部先端の両角に収容棚の支点（４）と上部にスライドバー支点（７）を設けたスライドバー（６）を取り付ける。
（ハ）吊り戸棚本体の支点（２）と収容棚の支点（４）、吊り戸棚本体（１）のスライドストッパー（５）と収容棚（３）のスライドバースライド部支点（８）をそれぞれ装着する。
本発明は、以上のような構造で、これを使用するときは、取っ手（１２）を手で掴み上下に開閉することで、収容棚の支点（４）を介して収容棚（３）も上下し開閉する。
これを閉めるときは、吊り戸棚本体（１）前面下部に取り付けられた吊り戸棚本体の磁石（９）と、収容棚（３）前面上部に取り付けられた収容棚の磁石（１０）接着することによって、収容棚（３）は閉まる。
収容棚（３）の下部先端の一角の収容棚の支点（４）と他収容棚（１１）の下部先端の一角の支点とを結合させることによって、前記底部上下開閉式吊り戸棚を連続的に配置させることができる。
【図面の簡単な説明】
【０００７】
【図１】本発明の斜視図
【図２】吊り戸棚本体の斜視図
【図３】収容棚の斜視図
【図４】本発明を連続的に配置した使用状態を示す斜視図
【符号の説明】
【０００８】    １    吊り戸棚本体
２    吊り戸棚本体の支点
３    収容棚
４    収容棚の支点
５    スライドストッパー
６    スライドバー
７    スライドバー支点
８    スライドバースライド部支点
９    吊り戸棚本体の磁石
１０  収容棚の磁石
１１  他収容棚
１２  取っ手
【図１】
2005118507.tif 000003
【図２】
2005118507.tif 000004
【図３】
2005118507.tif 000005
【図４】
2005118507.tif 000006
(57)【要約】【課題】  小児病棟や保育所・幼稚園でも良く使用されているれサークルベッドにこのファスナーつき天蓋を使用することにより転落事故の危険因子を取り除くことが出来る。【解決手段】  ベッドに天蓋を装着し、更にベッド柵の開閉をスムーズにするために、オープンファスナーを使用する【選択図】  図１
2005118505.tif 000002
【特許請求の範囲】
【請求項１】
小児用ベッドに布製の天蓋を取り付け。小児が、ベッドからの転落するのを防ぐ天蓋。
【請求項２】
オープンファスナーを利用して、ベッド柵の開閉がスムーズにできるようにした天蓋。
【発明の詳細な説明】
【発明の詳細な説明】
【技術分野】
【０００１】  小児用ベッドを使用する際に、幼児は動きが活発で理解力が乏しいため、立ち上がりベッドより転落する事故が少なくない。
【背景技術】
【０００２】  ベッドにネットを覆い被せベッド柵に紐を用いて結びつけ対処していたが、開閉にとても時間がかかり外観も美しくなかった。
ベッドにベニヤ板などで蓋をし、子供が転落しないように対処していた。
【発明が解決しようとする課題】
【０００３】  小児用ベッドを使用する際に、幼児は動きが活発で理解力が乏しいため、立ち上がりベッドより転落する事故が少なくない。小児病棟や保育所・幼稚園でも良く使用されているれサークルベッドにこのファスナーつき天蓋を使用することにより転落事故の危険因子を取り除くことが出来る。
【発明を実施するための最良の形態】
【０００４】    本発明は、オープンファスナーを利用することにより、ベッド柵側と天蓋の分離・開閉がスムーズに実施できる。更に小児用にカラフルな色彩の布を用いることで外観もよくなっている。
【発明の効果】
【０００５】    ベッドに天蓋を装着することで、子供の転落防止事故に役立つ。特に病院や保育所・幼稚園などでは、小児用のベッドに一人で寝せることが多い。子供たちに対し、職員の絶対数が少ない状況でもあるため、一人で寝かせている子供にマンツーマンで付き添うことが出来ないときや、病院では夜間など一人で寝かせないといけない状況であるが、子供が何時起きるか分からない、こんなとき、このベッド天蓋を使用することで『転落』と言う危険因子を取り除けると言うメリットがある。このベッド天蓋は、病院だけではなく、乳幼児がいる家庭においても、使用するメリットがあると考えられる。更にオープンファスナーを使用していることでベッドの開閉が簡単で便利である。
【図面の簡単な説明】    ベッド天蓋の写真【図１】    ベッド天蓋平面図
【図２】    ベッド天蓋をベッド柵に装着している図
【図３】    ベッド天蓋をベッド柵に装着している側面拡大図
【図４】    ベッド柵装着方法図
【符号の説明】
１  レースネット
２  布
３  オープンファスナー
４  紐
５  小児用ベッド
６  ベッド柵
７  ボタンホール
【図１】
2005118505.tif 000003
【図２】
2005118505.tif 000004
【図３】
2005118505.tif 000005
【図４】
2005118505.tif 000006
(57)【要約】【課題】  不確定多数の人が便座付トイレを使用する際、尻肌を衛生的に守るためペーパーシートを便座にのせて着座をしますが、固定されず脱落したり、不安定のまま着座使用している。また、専用のペーパーシートがない時には便座に直接着座して、衛生的に問題がある。【解決手段】  このペーパーシートの端部を便座の裏下部に取り付けた止め具に挟み込み、固定することによって安定した状態になり、安心して着座使用できる。また専用ペーパーシートのないときには、便座の長さに合わせた二枚のトイレットペーパーの端部をそれぞれ挟み込み、代替使用することによって、安定した着座使用が可能となり、尻肌を衛生的に守ることができます。【選択図】図４
2005118516.tif 000002
【特許請求の範囲】
【請求項１】
本発明は弾性力を持った帯板状の材料を用い中央部をＵ状に加工し、相対する先端部は互いにはまり込むようにＳ字形加工し、片端部は指先でつまみが可能な形状とし、つまみを操作し、弾性力により開口させたり閉口させることのできる構造を持った止め具で、これを便座式トイレの便座の裏下部にとりつけ、専用のペーパーシートの端部を止め具に挟み込むことにより、ペーパーシートを固定し、安定して着座使用ができるようにしたものであります。また専用のペーパーシートがない場合にはトイレットペーパーを適当な長さに切断し、便座上にのせ、その端部を止め具に挟み込み固定して利用することも可能にしたものである。
【発明の詳細な説明】
【技術分野】
【０００１】  本発明は便座式トイレの便座の裏下部に取り付けた止め具に、ペーパーシートの端部を挟み込み固定できるようにしたものであり、かつ、専用のペーパーシートのない時には、便座上に適当な長さに切断したトイレットペーパーの端部を止め具で固定することによって安定的に着座ができ、尻肌を衛生的に守ることができるようにしたものである。
【背景技術】
【０００２】  従来はペーパーシートを固定する止め具はなく、便座の上にのせ不安定な状況で使用していた。また、専用のペーパーがない時には尻肌部を直接便座に接して使用し、トイレットペーパーの代替使用はできなかった。【０００３】
【０００４】
【発明の開示】
【発明が解決しようとする課題】
【０００５】  不確定多数の人が便座付トイレを使用する際、尻肌を衛生的に守るためペーパーシートを便座にのせて着座をしますが、脱落したり、不安定のまま着座使用している。このペーパーシートの端部を便座の裏下部に取り付けた弾性力を持った帯板状の材料で作られた止め具に挟み込み、固定することによって安定した状態になり、安心して着座使用できる。また専用ペーパーシートのないときには、便座の長さに合わせた二枚のトイレットペーパーの端部をそれぞれ挟み込み、固定させて代替使用することもできます。
【課題を解決するための手段】
【０００６】  便器１に付いている便座２の裏下部に弾性部分６を持った止め具３を接着剤等によって取り付け、図２のように止め具３を開いた状態でシートペーパー４やトイレットペーパー５の端部を挿入し、つまみ７を押し、図３、図４のように挟み込み固定することによって、図５、図６のように着座使用時に脱落や不安定が起こらないようにした。
【発明の効果】
【０００７】  この止め具を取り付けることによって、専用ペーパーシート４を固定し、又代替品としてトイレットペーパー５を固定することによって、安定した着座使用が可能となり、尻肌を衛生的に守ることができます。
【発明を実施するための最良の形態】
【０００８】  以下、本発明の形態について説明します。
【実施例１】
【０００９】  止め具３は板状の材料を図１のように弾性部分６を持ったものに加工したものを便座２の下部に取り付ける。【００１０】  便座を少々持ち上げ、ペーパーシート４、又はトイレットペーパー５の端部を止め具３の開口部に差し込む。【００１１】  止め具３の弾性を利用し、つまみ部７を押してペーパーを挟み込んで固定し、便座を元に戻し使用する。
【産業上の利用可能性】
【００１２】
【図面の簡単な説明】
【００１３】
【図１】  本発明の形状を示した斜視図である。
【図２】  本発明を便座に取り付け、開口状態を示した断面図である。
【図３】  本発明にペーパーシートを挟み込み閉口状態を示した断面図である。
【図４】  本発明にペーパーシートを挟み込んだ状態を便座の裏側から見た斜視図である。
【図５】  本発明に専用ペーパーシートを使用した状態の斜視図である。
【図６】  本発明にトイレットペーパーを使用した状態の斜視図である。
【符号の説明】
【００１４】１便器
２便座
３止め具
４ペーパーシート
５トイレットペーパー
６止め具弾性部分
７止め具つまみ
【図１】
2005118516.tif 000003
【図２】
2005118516.tif 000004
【図３】
2005118516.tif 000005
【図４】
2005118516.tif 000006
【図５】
2005118516.tif 000007
【図６】
2005118516.tif 000008
(57)【要約】【課題】  靴の中敷全体を被覆し、ムレ防止、抗菌防臭、保温等の靴内を快適に調整することができる靴の中敷を得る。【解決手段】  靴の中の形状に合わせた基体となる靴の中敷本体１と、この靴の中敷本体１に被せられた袋状物２とを備えた靴の中敷１０。【選択図】    図１
2005118511.tif 000002
【特許請求の範囲】
【請求項１】
靴の中の形状に合わせた基体となる靴の中敷本体と、この靴の中敷本体に被せられた袋状物とを備えたことを特徴とする靴の中敷。
【請求項２】
袋状物はメリヤス編みされたものであることを特徴とする請求項１記載の靴の中敷。
【請求項３】
靴の中の形状に合わせた基体となる靴の中敷本体と、この靴の中敷本体の片面に接着された繊維製のシート部材とを備えたことを特徴とする靴の中敷。
【発明の詳細な説明】
【技術分野】
【０００１】  本発明は靴の中敷に関するものである。
【背景技術】
【０００２】  従来の靴の中敷は合成樹脂板と、基体と、足裏当接生地とを、順に重合し相互の踵部近傍に取付けた構成を有する靴中敷であって、合成樹脂板は、前記基体の下面における踵部から土踏まず部までを被覆するものとし、足裏当接生地と基体との間であって各人の足裏に適合する位置に第一調節部材を、基体と合成樹脂板との間に、当該基体の傾斜面を調節するための第二調節部材を備えたものである。（例えば、特許文献１参照）
【特許文献１】  特開２００３−２１０２０４
【発明の開示】
【発明が解決しようとする課題】
【０００３】  上記のような従来の靴の中敷きは、基体の下面における踵部から土踏まず部までの高さを調節できるが、靴の中敷全体を被覆し、ムレ防止、抗菌防臭、保温等の靴内を快適に調整することはできなかった。【０００４】  この発明は、上述のような問題点を解決するためになされたもので、靴の中敷全体を被覆し、ムレ防止、抗菌防臭、保温等の靴内を快適に調整することができる靴の中敷を得ることを目的とする。
【課題を解決するための手段】
【０００５】  本発明は、上述のような問題点を解決するためになされたもので、靴の中の形状に合わせた基体となる靴の中敷本体と、この靴の中敷本体に被せられた袋状物とを備えたものである。【０００６】  また、袋状物はメリヤス編みされたものである。【０００７】  また、靴の中の形状に合わせた基体となる靴の中敷本体と、この靴の中敷本体の片面に接着された繊維製のシート部材とを備えたものである。
【発明の効果】
【０００８】  この発明の靴の中敷は、基体となる靴の中敷本体とこの靴の中敷本体に被せられた袋状物とを備え、この袋状物にムレ防止、抗菌防臭、保温等の機能を付加しているので使用者が必要とするムレ防止、抗菌防臭、保温等の機能を満足させることができ、靴内を快適に調整することができる。【０００９】  また、靴の中敷は、基体となる靴の中敷本体とこの靴の中敷本体の片面に固着された繊維製のシート部材とを備えているので、このシート部材にムレ防止、抗菌防臭、保温等の機能を付加しているので使用者が必要とするムレ防止、抗菌防臭、保温等の機能を満足させることができ、靴内を快適に調整することができる。
【発明を実施するため最良の形態】
【００１０】実施の形態１．
図１は、この発明の実施の形態１である靴の中敷を示す平面図である。図２は図１の線Ａ−Ａに沿う断面図である。図において、１０は靴の中敷である。１は基体となる靴の中敷本体であり靴の中の形状（足裏の形状）に合わせ合成樹脂や天然素材等で板状に形成されている。２は靴の中敷本体１に被せられた袋状物であり、天然繊維や合成繊維を用い、例えば袋状にメリヤス編みされている。また、袋状物には、ムレ防止、抗菌防臭、保温等の機能が付加されている。
【００１１】  袋状物２はメリヤス編みで形成されているため、伸縮性が良く靴の中敷本体１の形状が少し変わっても容易に被せることができる。また、気に入った袋状物２は新たに購入された靴の中敷本体１に被せ変えることができる。
【００１２】実施の形態２．
図３は本発明の実施の形態２を示す靴の中敷きの背面図である。図において、２ａは袋状物２に形成された柄であり、ジャガード編みされている。袋状物２に種々の柄２ａを入れることにより靴を脱いだときに靴の中敷１０が外部から認識でき他人の靴との区別が容易にできるとともに、高級感がでる。
【００１３】  また、袋状物２は靴の中敷本体１から取り外しが容易であり、袋状物２を取り外して洗濯することができ、靴内を清潔に保つことができる。
【００１４】実施の形態３．
図４は、この発明の実施の形態３を示す靴の中敷の断面図である。図において、５はシート部材であり、例えば繊維材料により靴の中敷本体１と同じ形状に形成され、靴の中敷本体１の片面に例えば接着剤または粘着材６により接着されている。また、シート部材５には、ムレ防止、抗菌防臭、保温等の機能が付加されている。
【００１５】  また、靴の中敷本体１に接着された繊維性のシート部材５は柄をプリントすることにより、他人の靴との区別が容易にできるとともに、高級感がでる。
【００１６】  また、シート部材５は粘着材６を用いた場合には靴の中敷本体１から取り外しが容易であり、シート部材５を取り外して洗濯することができ、靴の中敷１０を清潔に保つことができる。また、取り外したシート部材５は機能を変えた新たな靴の中敷本体１に貼り替えることも可能であり、異なった機能を持つ靴の中敷１０を得る。
【図面の簡単な説明】
【００１７】
【図１】  この発明の実施の形態１を示す靴の中敷の平面図である。
【図２】  図１の線Ａ−Ａに沿う断面図である。
【図３】  この発明の実施の形態２を示す靴の中敷の背面図である。
【図４】  この発明の実施の形態３を示す靴の中敷の断面図である。
【符号の説明】
【００１８】  １  靴の中敷本体、  ２  袋状物、  ５  シート部材、  １０  靴の中敷
【図１】
2005118511.tif 000003
【図２】
2005118511.tif 000004
【図３】
2005118511.tif 000005
【図４】
2005118511.tif 000006
(57)【要約】【課題】二人用の足元部分にゆとりを作り、敷布団を差し込むポケット状の袋を付けた毛布と、二人用の足元部分にゆとりを作り、敷布団やマットに巻き込む布を付けた二人用毛布を提供する。【解決手段】二人用の毛布（１）の足元になる幅（２）の二箇所にタック（３）でゆとりを作り、その足元になる幅（２）とポケット布の幅（７）とを縫い合わせ、最後に折りこみ部分（４）とポケット布の側面（８）を縫合し、ポケット状の袋を設けた毛布と、二人用の毛布（１）の足元になる幅（２）の二箇所にタック（３）でゆとりを作り、その足元になる幅（２）と巻き込み布の幅（１０）とを縫い合わせ、敷布団やマットに巻き込んで使用する巻き込み布（９）を設けたことを特徴とする。【選択図】図１
2005118518.tif 000002
【特許請求の範囲】
【請求項１】
二人用毛布（１）の足元になる幅（２）の二箇所にタック（３）でゆとりを作った所と、ポケット布の幅（７）とを接ぎ、折り込み部分（４）とポケット布の側面（８）を縫い合わせポケット状の袋を作った、足元にゆとりを付けた敷布団を包む二人用毛布。
【請求項２】
二人用毛布（１）の足元になる幅（２）の二箇所にタック（３）でゆとりを作った所と、巻き込み布の幅（１０）とを接ぎ、敷布団やマットに巻き込めるようにした足元にゆとりを付けた敷布団やマットを包む二人用毛布。
【発明の詳細な説明】
【技術分野】
【０００１】  この発明は、二人用の足元部分の二箇所にゆとりを作り、敷布団を差し込むポッケト状の袋を付け、足元のゆとりを付けた敷布団を包む毛布と、敷布団やマットを巻き込む布を付けた足元にゆとりを付けた敷布団やマットを包む二人用毛布に関するものである。
【背景技術】
【０００２】  従来、毛布は長方形の形をした一枚の布で、平面的なものであった。
【発明の開示】
【発明が解決しようとする課題】
【０００３】  従来の毛布には、次のような問題点があった。
（イ）毛布の大きさは決まっており、足元部分を敷布団やマットに包んで使用すると丈が短くなり、肩のあたりを覆う寸法が足りなくなっていた。
（ロ）敷布団やマットを包んで使用した場合、足元のゆとり感が無くなり、圧迫感を感じ動きにくかった。
（ハ）寝ている間に何度も寝返りを打つと外れてしまい、外気が布団の中に入り、安眠できなかった。
（ニ）二人で使用した場合、片方が寝返りを打つと、ゆとりが無いため毛布は引っ張られ片方へ寄りがちであった。
本発明は、これらの問題点を解決するためになされたものである。
【課題を解決するための手段】
【０００４】  毛布（１）の足元になる幅（２）の二箇所にタック（３）でゆとりを作る。
その足元になる幅（２）とポケット布の幅（７）とを縫い合わせる。
最後に折り込み部分（４）とポケット布の側面（８）を縫合し、ポケット状の袋を作る。
本発明は、以上の構成によりなるポケット状の袋部分に敷布団を差し込めるようにした足元にゆとりを付けた敷布団を包む二人用毛布である。【０００５】  毛布（１）の足元になる幅（２）の二箇所にタック（３）でゆとりを作る。
その足元になる幅（２）と巻き込み布の幅（１０）とを縫い合わせる。
本発明は、以上の構成よりなる巻き込み布を敷布団やマットに巻き込めるようにした足元にゆとりを付けた敷布団やマットを包む二人用毛布である。
【発明の効果】
【０００６】  本発明を使用することにより、足元の二箇所にタックを寄せた部分に二人分のゆとりができ、圧迫感が無くなり、又保温性に優れている。
ポケット状の袋に敷布団を差し込んで使用するため、何度も寝返りを打っても外れることが無く、掛け布団もずれないので安眠できる。
また、巻き込み布を敷布団やマットに巻き込んで使用するため、何度も寝返りを打っても外れることがなく、掛け布団もずれず安眠できる。
【発明を実施するための最良の形態】
【０００７】  以下、本発明の実施の形態を説明する。
毛布（１）の足元になる幅（２）の二箇所にタック（３）でゆとりを作る。
立体感が二箇所に生まれる。
その足元になる幅（２）とポケット布の幅（７）と縫い合わせる。
折り込み部分（４）とポケット布の側面（８）を縫い合わせると、ポッケット状の袋ができあがる。
本発明は、以上の構成よりなっている。
本発明は次のようにして使用する。
毛布（１）の足元になる幅（２）とポケット布の幅（７）と縫い合わせる。
そして、折り込み部分（４）とポケット布の側面（８）を縫い合わせることによって、ポケット状の袋ができあがる。
そのポッケット状の袋に敷布団を差し込んで使用するため、敷布団の重みで毛布はしっかりと固定される。
よって一度温められた空気が毛布の外に逃げることがなく、又二人で使用した場合二箇所にタックが有るために、それぞれのゆとりが生じ何度も寝返りを打っても毛布が外れない。【０００８】  以下、本発明の実施の形態を説明する。
毛布（１）の足元になる幅（２）の二箇所にタック（３）でゆとりを作る。
立体感が二箇所に生まれる。
その足元になる幅（２）と巻き込み布の幅（１０）とを縫い合わせる。
本発明は以上の構成よりなっている。
本発明は次のようにして使用する。
毛布（１）の足元になる幅（２）と巻き込み布の幅（１０）とを縫い合わせる。
巻き込み布（９）を敷布団やマットに巻き込んで使用するため、敷布団やマットの重みで毛布はしっかりと固定される。
その結果、一度温められた空気が逃げにくく、又二人で使用した場合、二箇所にタックが有る為に、それぞれのゆとりが生じ何度も寝返りを打っても毛布が外れない。
巻き込み布（９）を取り付けたことにより、毛布の丈（５）も従来の長さを維持する事ができ、肩、首までしっかりと覆うことができる。
【図面の簡単な説明】
【０００９】
【図１】本発明の斜視図である。
【図２】本発明の分解図である。
【図３】本発明の使用状態を示した斜視図である。
【図４】本発明の使用状態を示した底面図である。
【図５】本発明の斜視図である。
【図６】本発明の分解図である。
【図７】本発明の使用状態を示した斜視図である。
【図８】本発明の使用状態を示した底面図である。
【符号の説明】
【００１０】  １  毛布
２  足元になる幅
３  タック
４  折り込み部分
５  毛布の丈
６  ポケット布
７  ポケット布の幅
８  ポケット布の側面
９  巻き込み布
１０  巻き込み布の幅
【図１】
2005118518.tif 000003
【図２】
2005118518.tif 000004
【図３】
2005118518.tif 000005
【図４】
2005118518.tif 000006
【図５】
2005118518.tif 000007
【図６】
2005118518.tif 000008
【図７】
2005118518.tif 000009
【図８】
2005118518.tif 000010
(57)【要約】      （修正有）【課題】従来肘掛けは椅子に付いているものと決まっていたが、テーブルに収納可能な方法で設置することにより、使用したい時だけ引き出して使用することが出来るようにしたことで、邪魔にならず、パソコン操作など、デスクワークの疲労低減に少なからず貢献するものである。【解決手段】肘掛け台２は、テーブル１裏面にほぼ肩幅の間隔で設置されたガイド３を前後にスライド可能に支持され、使用する時は、肘掛け台２を手前に引き出して、両肘を乗せる。【選択図】図１
2005118517.tif 000002
【特許請求の範囲】
【請求項１】
ほぼ肩幅の間隔になる一対の肘掛け台を、出入可能に設置したことを特徴とするテーブル。
【請求項２】
テーブル１裏面のガイド３によってテーブルの前後にスライドする肘掛け台２を有する、［請求項１］に基づく肘掛け台付きテーブル。
【請求項３】
テーブル１に軸孔４を形成し、肘掛け台２の端部に形成した支軸５を軸孔４に回転自在に装着してなる、［請求項１］に基づく肘掛け台付きテーブル。
【請求項４】
軸孔６を有するテーブルクランプ７と、軸孔６に回転自在に装着される支軸５を有する肘掛け台２とで構成される、［請求項１］に基づく肘掛け台付きテーブル。
【発明の詳細な説明】
【発明の詳細な説明】
【産業上の利用分野】
【０００１】  本発明は、パソコン操作時に腕を支えて疲労を低減する肘掛けに関する。
【背景技術】
【０００２】  パソコンや、デスクワークの長時間の作業においては、腕の重さが疲労や肩こりの大きな要因であるが，作業用の椅子には肘掛けのないのが普通であり、あっても肘掛けの位置が低いものが多い。
【発明の解決しようとする課題】
【０００３】  そこで、本案では、腕の重さを支えてパソコンやデスクワークの疲労を低減に貢献する肘掛け付きのテーブルを提供するものである。
【課題を解決するための手段】
【０００４】  本案の肘掛け付きテーブルは、ほぼ肩幅の間隔に配置された一対の肘掛け台をテーブルに出入できるように設置する。
【作用】
【０００５】  ［図１］は、前後にスライドする肘掛け台を有する平面図。
［図２］は、その側面図である。
肘掛け台２は、テーブル１裏面にほぼ肩幅の間隔で設置されたガイド３を前後にスライド可能に支持され、使用する時は、［図１］のように、手前に引き出して、両肘を乗せる。
【実施例】
【０００６】  以下、図面に基づきその他の実施例を説明する。
［図３］は、テーブル１に一対の軸孔４を有する平面図で，［図４］は、その側面図である。
肘掛け台２の端部に形成された支５軸は、テーブル１の軸孔４に回転着脱自在に装着される。
本安の肘掛け台付きテーブルを使用する時には、左右一対の肘掛け台を回転させ、テーブルとほぼ直角にして肘を掛ける。
本案の肘掛け付きテーブルは、既成のテーブルにアタッチメントを装着して実現する方法も可能である。
［図５］は、アタッチメントによる肘掛け付きテーブルの平面図で、［図６］は、その側面図である。
軸孔６を持つテーブルクランプ７を、テーブル１にほぼ肩幅の間隔で固定し、支軸挿入孔に肘掛け台の支軸を挿入する。
この方法は、個人に合った位置に取付けることが出来る長所を有する。
その他、肘掛け台とテーブルをヒンジで連結する方法も可能である。
【発明の効果】
【０００７】  従来肘掛けは椅子に付いているものと決まっていたが、テーブルに収納可能な方法で設置することにより、使用したい時だけ引き出して使用することが出来るようにしたことで、邪魔にならず、パソコン操作など、デスクワークの疲労低減に少なからず貢献するものである。
【図面の簡単な説明】
【図１】は、前後にスライドする肘掛け台を有する平面図
【図２】は、前後にスライドする肘掛け台を有する側面図
【図３】は、テーブル１に一対の軸孔４を有する平面図
【図４】は、テーブル１に一対の軸孔４を有する側面図
【図５】は、アタッチメントによる肘掛け付きテーブルの平面図
【図６】は、アタッチメントによる肘掛け付きテーブルの側面図  １．テーブル  ２．肘掛け台  ３．ガイド  ４．軸孔  ５．支軸  ６．軸孔  ７．テーブルクランプ
【図１】
2005118517.tif 000003
【図２】
2005118517.tif 000004
【図３】
2005118517.tif 000005
【図４】
2005118517.tif 000006
【図５】
2005118517.tif 000007
【図６】
2005118517.tif 000008